(57)【要約】【課題】課金装置を省いたシンプルな構成のプリント装置を用いて、プリントの盗難防止効果の高いプリントシステムを提供する。【解決手段】記憶メディア５０に格納された画像をプリント装置２０でプリントすると、料金未納情報が記憶メディアに設けられた無線タグに書き込まれる。利用料金の支払いは受付カウンタ１４で行われ、会計が済まされると、記憶メディアの無線タグに記録された料金未納情報が削除される。会計を済ませないまま店舗の出入口１６を通過して店舗１２の外に出ようとすると、出入口１６に設けられた警報装置１００の無線タグリーダ１０８が記憶メディアの無線タグに書き込まれた料金未納情報を読み取り、警報音を鳴らす。【選択図】      図１
2006163718.tif 000002
【特許請求の範囲】
【請求項１】
出入口を有する所定の設置スペースに設けられたプリント装置で記憶メディアに格納された画像データをプリントし、その利用料金を前記設置スペース内に設けられた受付で支払うプリントシステムにおいて、
前記記憶メディアに設けられた無線タグと、
前記プリント装置に設けられ、該プリント装置を利用したユーザの前記記憶メディアの無線タグに料金未納情報を書き込む書込手段と、
前記受付に設けられ、利用料金の支払いを終えたユーザの前記記憶メディアの無線タグから料金未納情報を消去又は支払い済み情報に書き換える書換手段と、
前記出入口に設けられ、該出入口を通過するユーザが有する前記記憶メディアの無線タグに書き込まれている前記料金未納情報を読み取る読取手段と、
前記読取手段で前記料金未納情報が読み取られると、警告を発する警告手段と、
を備えたことを特徴とするプリントシステム。
【請求項２】
前記書込手段は、前記記憶メディアの無線タグに前記料金未納情報とともに、利用内容の情報を書き込むことを特徴とする請求項１に記載のプリントシステム。
【請求項３】
前記受付に設けられ、利用料金の支払いを行うユーザが有する前記記憶メディアの無線タグから前記利用内容の情報を読み取る利用内容読取手段と、
前記受付に設けられ、前記利用内容読取手段で読み取った利用内容の情報を表示する表示手段と、
を備えたこと特徴とする請求項２に記載のプリントシステム。
【発明の詳細な説明】
【技術分野】
【０００１】
本発明は、プリントシステムに係り、特に店舗内に設けられたセルフプリント装置を利用者自らが操作して記憶メディアに格納された画像データをプリントし、その利用料金を店舗内に設けられた受付で支払うプリントシステムに関する。
【背景技術】
【０００２】
デジタルカメラ等で撮影した画像をプリントする方法の一つに写真店などの店頭に設置されたセルフプリント装置を利用する方法がある。
【０００３】
セルフプリント装置は、記憶メディアに格納された画像をその場でプリントできるようにした装置であり、利用者自らが装置を操作して、好みの画像をプリントできるようにしている。
【０００４】
従来、この種のセルフプリント装置では、タバコやジュースなどの自動販売機と同様に装置本体に備えられた課金装置で利用料金の決済を行うようにしている（たとえば、特許文献１参照）。
【特許文献１】特開２００２−１０９６３１号公報
【発明の開示】
【発明が解決しようとする課題】
【０００５】
しかしながら、装置本体に課金装置を備えることとすると、コスト高になるとともに、装置が複雑かつ本体が大型化するという欠点がある。また、つり銭の補充なども行わなければならないため、管理に手間がかかるという欠点もある。
【０００６】
一方、装置本体から課金装置を省き、決済を店舗内のレジ等で行うこととすると、決済を行わずにプリントを持ち帰られてしまうという懸念がある。
【０００７】
本発明はこのような事情に鑑みてなされたもので、課金装置を省いたシンプルな構成のプリント装置を用いて、プリントの盗難防止効果の高いプリントシステムを提供することを目的とする。
【課題を解決するための手段】
【０００８】
請求項１に係る発明は、前記目的を達成するために、出入口を有する所定の設置スペースに設けられたプリント装置で記憶メディアに格納された画像データをプリントし、その利用料金を前記設置スペース内に設けられた受付で支払うプリントシステムにおいて、前記記憶メディアに設けられた無線タグと、前記プリント装置に設けられ、該プリント装置を利用したユーザの前記記憶メディアの無線タグに料金未納情報を書き込む書込手段と、前記受付に設けられ、利用料金の支払いを終えたユーザの前記記憶メディアの無線タグから料金未納情報を消去又は支払い済み情報に書き換える書換手段と、前記出入口に設けられ、該出入口を通過するユーザが有する前記記憶メディアの無線タグに書き込まれている前記料金未納情報を読み取る読取手段と、前記読取手段で前記料金未納情報が読み取られると、警告を発する警告手段と、を備えたことを特徴とするプリントシステムを提供する。
【０００９】
請求項１に係る発明によれば、プリント装置を利用した場合、料金未納情報が記憶メディアに設けられた無線タグに書き込まれる。受付で利用料金の支払いを済ませると、無線タグに書き込まれた料金未納情報が消去又は支払い済み情報に書き換えられる。料金未納のまま出入口を通過しようとすると、出入口に設けられた読取手段で料金未納情報が読み取られ、警告手段から警告が発せられる。
【００１０】
請求項２に係る発明は、前記目的を達成するために、前記書込手段は、前記記憶メディアの無線タグに前記料金未納情報とともに、利用内容の情報を書き込むことを特徴とする請求項１に記載のプリントシステムを提供する。
【００１１】
請求項２に係る発明によれば、プリント装置を利用したユーザの記憶メディアの無線タグに料金未納情報とともに利用内容の情報が書き込まれる。
【００１２】
請求項３に係る発明は、前記目的を達成するために、前記受付に設けられ、利用料金の支払いを行うユーザが有する前記記憶メディアの無線タグから前記利用内容の情報を読み取る利用内容読取手段と、前記受付に設けられ、前記利用内容読取手段で読み取った利用内容の情報を表示する表示手段と、を備えたこと特徴とする請求項２に記載のプリントシステムを提供する。
【００１３】
請求項３に係る発明によれば、受付にてユーザの記憶メディアの無線タグから利用内容の情報が読み取られ、読み取られた情報が表示手段に表示される。
【発明の効果】
【００１４】
本発明によれば、課金装置を省いたシンプルな構成のプリント装置を用いることができる。また、プリントの盗難も効果的に防止することができる。
【発明を実施するための最良の形態】
【００１５】
以下、添付図面に従って本発明に係るプリントシステムの好ましい実施の形態について詳説する。
【００１６】
図１は、本発明に係るプリントシステムの一実施形態を示す全体構成図である。同図に示すように、本実施の形態のプリントシステム１０は、店舗１２内に複数台設置されたプリント装置２０と、店舗１２内の受付カウンタ１４に設置されたキャッシュレジスタ８０と、店舗１２の出入口１６に設置された警報装置１００とで構成されている。
【００１７】
図２は、プリント装置２０の外観構成を示す正面図である。同図に示すように、プリント装置２０は、箱型に形成された装置本体２２を有している。装置本体２２の正面上部にはモニタ２４が設けられており、モニタ２４の下部には、メディアリーダ２６が設けられている。また、装置本体２２の正面下部には、生成されたプリントを取り出すためのプリント取出口３０が設けられている。
【００１８】
モニタ２４には、その表面にタッチパネル２８が設けられており、ユーザはモニタ２４に表示された指示に従ってタッチパネル２８を操作し、記憶メディアに格納された画像の中から所望の画像をプリントする。
【００１９】
メディアリーダ２６は、各種記憶メディアに対応したメディアスロットを備えており、ユーザは対応するメディアスロットに持参した記憶メディアを挿入する。
【００２０】
図３は、プリント装置２０の電気的構成を示すブロック図である。同図に示すように、プリント装置２０は、中央処理装置（ＣＰＵ）３６、ＲＯＭ３８、ＲＡＭ４０、モニタ２４、メディアリーダ２６、タッチパネル２８、プリンタ３４、無線タグリーダ／ライタ４０等を備えてなる。
【００２１】
ＣＰＵ３６は、プリント装置全体の動作を統括制御する制御部として機能し、所定の制御プログラムに従ってプリント装置２０の各部を制御する。
【００２２】
ＲＯＭ３８には、このＣＰＵ３６が実行する制御プログラムと、その制御に必要な各種データが格納されており、ＣＰＵ３６は、このＲＯＭ３８に格納された制御プログラムをＲＡＭ４０にロードし、ＲＡＭ４０を作業領域としながら各種演算処理を実行して、プリント装置２０の各部を制御する。
【００２３】
モニタ２４は、たとえばカラー液晶モニタで構成されており、ＣＰＵ３６の制御の下、プリントする画像データや各種操作案内等を表示する。
【００２４】
メディアリーダ２６は、ＣＰＵ３６の制御の下、各メディアスロットに装填された記憶メディア５０から画像データの読み出しを行う。
【００２５】
タッチパネル２８は、モニタ２４の画面の上に設けられており、その押圧位置の座標データを検出して、ＣＰＵ３６に出力する。ＣＰＵ３６は、このタッチパネル２８から出力された座標データに基づいてプリント装置２０の各部を制御する。
【００２６】
プリンタ３４は、たとえばカラーサーマルプリンタで構成されており、ＣＰＵ３６の制御の下、所定のカラー印画紙にプリントデータを印画して、プリント取出口３０に排出する。
【００２７】
無線タグリーダ／ライタ３２は、メディアスロットに装填された記憶メディア５０の無線タグ６０に対して情報の読み／書きを行う。
【００２８】
図４は、この無線タグリーダ／ライタ３２の電気的構成を示すブロック図である。同図に示すように、無線タグリーダ／ライタ３２は、送信アンテナ用コイル４２Ａを備えた送信部４２と、受信アンテナ用コイル４４Ａを備えた受信部４４と、全体を制御する制御部４６とで構成されている。
【００２９】
記憶メディア５０に設けられた無線タグ６０と通信する場合は、キャリア信号を送信部４２で変調し、電力用電波信号として送信アンテナ用コイル４２Ａから送信したのち、送信すべきデータ信号を電力用電波信号に重畳するように送信部４２で変調して送信アンテナ用コイル４２Ａから送信する。記憶メディア５０に設けられた無線タグ６０から送信された電波信号については、これを受信アンテナ用コイル４４Ａで受信し、受信部４４で復調してデータとして弁別する。
【００３０】
図５は、記憶メディア５０に設けられた無線タグ６０の電気的構成を示すブロック図である。同図に示すように、無線タグ６０は、アンテナ用コイル６２、共振コンデンサ６４、整流・平滑回路６６、変復調回路６８、ＣＰＵ７０、ＲＯＭ７２及びＥＥＰＲＯＭ７４で構成されている。
【００３１】
アンテナ用コイル６２は、共振コンデンサ６４と並列に接続されて共振回路を構成し、無線タグリーダ／ライタ３２から送信される所定の高周波数の電力用電波信号を受信して整流・平滑回路６６に供給する。
【００３２】
整流・平滑回路６６は、動作用電源回路を構成するもので、共振回路から送信されてきた電力用電波信号を整流し、平滑化して一定電圧の直流電力（動作用電力）にしてＣＰＵ７０などに供給する。
【００３３】
無線タグリーダ／ライタ３２から送信されてくる信号は、電力用電波信号に重畳して送信され、その信号は変復調回路６８により復調されてＣＰＵ７０に与えられる。ＣＰＵ７０は、ＲＯＭ７２に記憶された動作プログラムに従って動作し、変復調回路６８から入力される信号に応じた処理を実行する。すなわち、受信したデータをＥＥＰＲＯＭ７４に書き込んだり、ＥＥＰＲＯＭ７４からデータを読み出して変復調回路６８により変調し、アンテナ用コイル６２から電波信号として送信したりする。
【００３４】
なお、無線タグ６０は、各記憶メディア５０のケース内に組み込むことで記憶メディア５０に取り付けるようにしてもよいし、また、記憶メディア５０のケース表面に貼付することで記憶メディア５０に取り付けるようにしてもよい。
【００３５】
以上のように構成されたプリント装置２０において、記憶メディア５０に格納された画像をプリントする場合、まず、利用者は画像が格納された記憶メディア５０をメディアリーダ２６の対応するスロットに挿入する。そして、モニタ２４に表示される操作ガイドに従ってタッチパネル２８を操作し、記憶メディア５０に格納された画像をプリントする。この際、モニタ２４には、記憶メディア５０に格納された画像データの一覧が表示され、利用者は、その中からプリントする画像を選択し、選択した各画像についてプリントサイズとプリント枚数を指定して、プリントを実行させる。ＣＰＵ３６は、指定された情報に従ってプリンタ３４を制御し、プリント処理を実行する。プリントが終了すると、ＣＰＵ３６は無線タグリーダ／ライタ３２を制御し、メディアリーダ２６のメディアスロットに挿入されている記憶メディア５０の無線タグ６０に対して利用情報を書き込む。この利用情報には、利用内容（利用年月日、サービス種別（デジカメプリント、インデックスプリント等の種別）、プリントサイズ（Ｌサイズ、２Ｌサイズ等の種別）、プリント枚数、単価、合計金額等）の他、利用料金が未納であることを示す料金未納情報が含まれる。利用者は、この利用情報が無線タグ６０に書き込まれた記憶メディア５０をメディアスロットから抜き取り、受付カウンタ１４で決済を済ませる。
【００３６】
図６は、受付カウンタ１４に設置されるキャッシュレジスタ８０の電気的構成を示すブロック図である。
【００３７】
同図に示すように、キャッシュレジスタ８０は、ＣＰＵ８２、ＲＯＭ８４、ＲＡＭ８６、操作部８８、モニタ９０、無線タグリーダ／ライタ９２、プリンタ９４、キャッシュボックス９６、開閉制御部９８等で構成されている。
【００３８】
ＣＰＵ８２は、キャッシュレジスタ全体の動作を統括制御する制御部として機能し、所定の制御プログラムに従ってキャッシュレジスタ８０の各部を制御する。
【００３９】
ＲＯＭ８４には、このＣＰＵ８２が実行する制御プログラムと、その制御に必要な各種データが格納されており、ＣＰＵ８２は、このＲＯＭ８４に格納された制御プログラムをＲＡＭ８６にロードし、ＲＡＭ８６を作業領域としながら各種演算処理を実行して、キャッシュレジスタ８０の各部を制御する。
【００４０】
操作部８８は、テンキーを含む各種操作キーで構成されており、その入力情報をＣＰＵ８２に出力する。ＣＰＵ８２は、この操作部８８からの入力情報に基づいてキャッシュレジスタ８０の各部を制御する。
【００４１】
モニタ９０は、たとえば液晶モニタで構成されており、ＣＰＵ８２の制御の下、会計情報や無線タグ６０から読み取った情報等を表示する。
【００４２】
無線タグリーダ／ライタ９２は、ＣＰＵ８２の制御の下、所定の読取部にかざされた記憶メディア５０の無線タグ６０に対して情報の読み／書きを行う。なお、この無線タグリーダ／ライタ９２の構成は、プリント装置２０に設けられた無線タグリーダ／ライタ３２と基本的に同じなので、その具体的な構成の説明については省略する。
【００４３】
プリンタ９４は、たとえばインクリボンを用いたサーマルプリンタで構成されており、ＣＰＵ８２の制御の下、所定の用紙にプリントデータを印字する。
【００４４】
キャッシュボックス９６には、利用者が支払った代金が収納される。開閉制御部９８は、ＣＰＵ８２の制御の下、このキャッシュボックス９６の開閉制御を行う。
【００４５】
以上のように構成されたキャッシュレジスタ８０において、店員は利用者からプリントに利用した記憶メディア５０を預かり、無線タグリーダ／ライタ９２の所定の読取部にかざす。無線タグリーダ／ライタ９２は、その読取部にかざされた記憶メディア５０の無線タグ６０から利用情報を読み取り、ＣＰＵ８２に出力する。ＣＰＵ８２は、この無線タグリーダ／ライタ９２から読み取った情報をモニタ９０に表示する。店員は、このモニタ９０の表示に従って操作部８８を操作し、会計を行う。会計が済まされると、ＣＰＵ８２はプリンタ９４を制御し、レシートを発行するとともに、無線タグリーダ／ライタ９２を制御し、記憶メディア５０の無線タグ６０に記録した利用情報を消去する。店員は、発行されたレシートを利用者に受け渡すとともに、利用情報が消去された記憶メディア５０を利用者に返却する。記憶メディア５０を受け取った利用者は、警報装置１００の前を通過して出入口１６から店舗１２の外に出る。
【００４６】
図７は、店舗１２の出入口１６に設置される警報装置１００の電気的構成を示すブロック図である。
【００４７】
同図に示すように、警報装置１００は、ＣＰＵ１０２、ＲＯＭ１０４、ＲＡＭ１０６、無線タグリーダ１０８、ブザー１１０等で構成されている。
【００４８】
ＣＰＵ１０２は、警報装置全体の動作を統括制御する制御部として機能し、所定の制御プログラムに従って警報装置１００の各部を制御する。
【００４９】
ＲＯＭ１０４には、このＣＰＵ１０２が実行する制御プログラムと、その制御に必要な各種データが格納されており、ＣＰＵ１０２は、このＲＯＭ１０４に格納された制御プログラムをＲＡＭ１０６にロードし、ＲＡＭ１０６を作業領域としながら各種演算処理を実行して、警報装置１００の各部を制御する。
【００５０】
無線タグリーダ１０８は、警報装置１００を通過するユーザが、所有する記憶メディア５０の無線タグ６０から情報の読み取りを行う。なお、この無線タグリーダ１０８の構成は、プリント装置２０に設けられた無線タグリーダ／ライタ３２と基本的に同じなので、その具体的な構成の説明については省略する。
【００５１】
ブザー１１０は、スピーカを有し、ＣＰＵ１１０の制御の下、そのスピーカから所定の警告音を鳴らす。
【００５２】
以上のように構成された警報装置１００は、利用者が店舗１２の出入口１６を通過すると、その利用者が所有する記憶メディア５０の無線タグ６０に記憶されている情報が無線タグリーダ１０８によって読み取られる。無線タグリーダ１０８によって読み取られた情報はＣＰＵ１１０に出力され、ＣＰＵ１１０は、その読み取られた情報の中に料金未納情報が含まれているか否か判定する。そして、料金未納情報が含まれている場合には、ブザー１１０を制御し、スピーカから所定の警告音を鳴らす。
【００５３】
次に、前記のごとく構成された本実施の形態のプリントシステム１０の運用の流れについて説明する。
【００５４】
まず、利用者はプリントしようとする画像が格納された記憶メディア５０を持って店舗１２の出入口１６から店舗１２内に入場する。
【００５５】
店舗１２内に入場した利用者は、プリント装置２０の所へ行き、自らプリント装置２０を操作して、記憶メディア５０に格納されている画像をプリントする。
【００５６】
すなわち、まず、記憶メディア５０をメディアリーダ２６の対応するメディアスロットに挿入する。そして、モニタ２４に表示される操作ガイドに従ってタッチパネル２８を操作し、処理開始の指示を入力する。
【００５７】
処理開始が指示されると、ＣＰＵ３６は、メディアリーダ２６のメディアスロットに挿入された記憶メディア５０から画像データの読み出しを行い、読み出した画像データをモニタ２４に一覧表示させる。
【００５８】
利用者は、このモニタ２４に一覧表示された画像の中からプリントする画像をタッチパネル２８を利用して選択し、選択した各画像についてプリントサイズとプリント枚数をタッチパネル２８を利用して指定する。そして、モニタ２４の表示される指示に従ってプリント開始を指示する。プリント開始が指示されると、ＣＰＵ３６は、指定された情報に従ってプリンタ３４を制御し、プリント処理を実行する。生成されたプリントは、プリント取出口３０に排出され、利用者は、このプリント取出口３０からプリントを取り出す。
【００５９】
また、プリントが終了すると、ＣＰＵ３６は無線タグリーダ／ライタ３２を制御し、メディアリーダ２６のメディアスロットに挿入されている記憶メディア５０の無線タグ６０に対して利用情報（利用内容と料金未納情報）を書き込む。
【００６０】
利用情報の書き込みが終了すると、ＣＰＵ３６は記憶メディア５０の取り外しを促すメッセージをモニタ２４に表示する（たとえば、「記憶メディアを取り外してください。」）とともに、受付カウンタ１４で会計を促すメッセージを表示させる（「受付にて会計を済ませてください。」）。利用者は、このモニタ２４に表示されたメッセージに従ってメディアスロットから記憶メディア５０を抜き取り、受付カウンタ１４に向かい、利用料金の支払いを行う。
【００６１】
受付カウンタ１４では、店員が利用者からプリントを行った記憶メディア５０を預かり、キャッシュレジスタ８０に備えられた無線タグリーダ／ライタ９２の所定の読取部にかざす。無線タグリーダ／ライタ９２は、その読取部にかざされた記憶メディア５０の無線タグ６０から利用情報を読み取り、ＣＰＵ８２に出力する。ＣＰＵ８２は、この無線タグリーダ／ライタ９２から読み取った情報をモニタ９０に表示する。店員は、このモニタ９０の表示に従って操作部８８を操作し、会計を行う。会計が済まされると、ＣＰＵ８２はプリンタ９４を制御し、レシートを発行するとともに、無線タグリーダ／ライタ９２を制御し、記憶メディア５０の無線タグ６０に記録した利用情報を消去する。店員は、発行されたレシートを利用者に受け渡すとともに、利用情報が消去された記憶メディア５０を利用者に返却する。記憶メディア５０を受け取った利用者は、警報装置１００の前を通過して出入口１６から店舗１２の外に出る。
【００６２】
ここで、利用者が店舗１２の出入口１６を通過すると、その利用者が所有する記憶メディア５０の無線タグ６０に記憶されている情報が、警報装置１００に備えられた無線タグリーダ１０８によって読み取られる。読み取られた情報は、警報装置１００のＣＰＵ１１０に出力され、ＣＰＵ１１０は、その読み取られた情報の中に料金未納情報が含まれているか否か判定する。そして、料金未納情報が含まれている場合には、ブザー１１０を制御し、スピーカから所定の警告音を鳴らす。
【００６３】
ここで、料金未納情報は、受付カウンタ１４で利用料金の支払いが済まされると、記憶メディア５０の無線タグ６０から消去されるので、利用料金の支払いを済ませた利用者が、記憶メディア５０を所有したまま出入口１６を通過しても、ブザー１１０から警告音は鳴らされない。
【００６４】
一方、受付カウンタ１４にて利用料金の支払いを終えていない利用者が所有する記憶メディア５０の無線タグ６０には、料金未納情報が残されているので、この利用者が出入口１６を通過して、店舗外に出ようとすると、料金未納情報が無線タグリーダ１０８によって読み取られ、ブザー１１０から警告音が鳴らされる。
【００６５】
このように、本実施の形態のプリントシステム１０では、プリント装置２０でプリントした場合、その利用料金の支払いを受付カウンタ１４で行うようにしているため、プリント装置２０に課金装置を設ける必要がなくなり、プリント装置２０の構成をシンプルにすることができる。また、装置ごとのつり銭管理も行う必要がないので、容易に運用することができる。
【００６６】
また、このように利用料金の支払いを受付カウンタ１４で行うこととすると、利用料金を支払わずに退出されるおそれがあるが、このような場合、本実施の形態のプリントシステム１０では、出入口１６で警報装置１００から警告音が鳴らされるので、料金の未払いを効果的に防止することができる。
【００６７】
なお、本実施の形態では、受付カウンタ１４にて利用料金の支払いを終えると、利用者の記憶メディア５０の無線タグ６０から利用情報を削除するようにしているが、料金未納情報のみを削除するようにしてもよいし、また、料金未納情報を支払い済み情報に書き換えるようにしてもよい。
【００６８】
また、本実施の形態では、プリント装置２０を利用してプリントした記憶メディア５０の無線タグ６０に利用情報として、利用内容と料金未納情報を書き込むようにしているが、料金未納情報のみを書きこむようにしてもよい。この場合、プリント装置２０からは、少なくとも利用料金が記載された伝票を発行し、その伝票を元に受付カウンタ１４で利用料金の支払いを行うようにする。
【００６９】
また、本実施の形態では、利用内容の情報として、無線タグ６０に利用年月日、サービス種別、プリントサイズ、プリント枚数、単価、合計金額等を書き込むようにしているが、他の情報を書き込むようにしてもよい。
【００７０】
さらに、本実施の形態では、プリント終了後に無線タグ６０に利用情報を書き込むようにしているが、無線タグ６０に利用情報を書き込むタイミングは、これに限定されるものではない。たとえば、利用者からプリント指令が出された後、プリント処理の開始前に利用情報を書き込むようにしてもよい。これにより、利用情報が書き込まれる前に記憶メディア５０がメディアソケットから抜き取られて、不正利用されることを効果的に抑止することができる。なお、プリント開始前に無線タグ６０に利用情報を書き込むこととすると、エラーなどによって注文したプリントが全てプリントされなかった場合に実際の利用内容と無線タグ６０に書き込まれている利用内容とが相違するおそれがあるので、プリント後に再度実際の利用内容に応じた利用情報を上書きして書き込むようにすることが好ましい。
【００７１】
また、メディアリーダ２６に記憶メディア５０の抜き取りを防止するためのロック手段を設け、利用情報が無線タグ６０に書き込まれるまで、記憶メディア５０の抜き取りが出来ないようにしてもよい。
【００７２】
また、本実施の形態では、料金未払いの場合の警告手段として、所定の警告音を鳴らす警報装置１００を用いているが、音による警告に代えて、あるいは加えて、ランプ等の点灯、点滅などによって料金未払いの警告を行うようにしてもよい。更に、通信手段を利用して、店員などに通知するようにしてもよい。たとえば、店員が所有する携帯電話機に通知するようにしてもよい。
【００７３】
なお、本実施の形態のプリントシステム１０は、記憶メディア５０に無線タグ６０が備えられていることが前提となるが、無線タグ６０が備えられていない記憶メディア５０に対しては、プリント装置２０の利用ができないようにしてもよい。この場合、プリント装置２０のＣＰＵ３６は、モニタ２４に無線タグ６０が記憶メディア５０に取り付けられていないため、利用できない旨の表示をすることが好ましい。また、この場合は、受付カウンタ１４にてシール形式の無線タグを発行し、その無線タグを記憶メディア５０に貼付して利用できるようにすることが好ましい。
【図面の簡単な説明】
【００７４】
【図１】本発明に係るプリントシステムの一実施形態を示す全体構成図
【図２】プリント装置の外観構成を示す正面図
【図３】プリント装置の電気的構成を示すブロック図
【図４】無線タグリーダ／ライタの電気的構成を示すブロック図
【図５】無線タグの電気的構成を示すブロック図
【図６】キャッシュレジスタの電気的構成を示すブロック図
【図７】警報装置の電気的構成を示すブロック図
【符号の説明】
【００７５】
１０…プリントシステム、１２…店舗、１４…受付カウンタ、１６…出入口、２０…プリント装置、２２…装置本体、２４…モニタ、２６…メディアリーダ、２８…タッチパネル、３０…プリント取出口、３２…無線タグリーダ／ライタ、３４…プリンタ、３６…中央処理装置（ＣＰＵ）、３８…ＲＯＭ、４０…ＲＡＭ、４２…送信部、４２Ａ…送信アンテナ用コイル、４４…受信部、４４Ａ…受信アンテナ用コイル、４６…制御部、５０…記憶メディア、６０…無線タグ、６２…アンテナ用コイル、６４…共振コンデンサ、６６…整流・平滑回路、６８…変復調回路、７０…ＣＰＵ、７２…ＲＯＭ、７４…ＥＥＰＲＯＭ、８０…キャッシュレジスタ、８２…ＣＰＵ、８４…ＲＯＭ、８６…ＲＡＭ、８８…操作部、９０…モニタ、９２…無線タグリーダ／ライタ、９４…プリンタ、９６…キャッシュボックス、９８…開閉制御部、１００…警報装置、１０２…ＣＰＵ、１０４…ＲＯＭ、１０６…ＲＡＭ、１０８…無線タグリーダ、１１０…ブザー
【図１】
2006163718.tif 000003
【図２】
2006163718.tif 000004
【図３】
2006163718.tif 000005
【図４】
2006163718.tif 000006
【図５】
2006163718.tif 000007
【図６】
2006163718.tif 000008
【図７】
2006163718.tif 000009